(57)【特許請求の範囲】
【請求項１】
コンロ本体の上面を覆う板金製の天板と、天板の上面を覆うガラス製の天板カバーと、天板カバーを天板に固定するカバー固定手段と、天板及び天板カバーに開設したバーナ用開口を介して上方に露出するコンロバーナと、天板カバー上にコンロバーナを囲うようにして載置される五徳とを備えるガスコンロにおいて、
天板のバーナ用開口は、天板カバーのバーナ用開口より小径であり、カバー固定手段は、天板のバーナ用開口より大径で天板カバーのバーナ用開口より小径の筒部と、天板のバーナ用開口の口縁部に締結される筒部下端の内曲げフランジ部と、天板カバーのバーナ用開口の口縁部上面を覆うように天板カバーに設けられた保護パッキンの上面に重なる筒部上端の外曲げフランジ部とを有する環状のカバー固定板で構成され、
五徳は、保護パッキン及びカバー固定板を上方から覆う環状の五徳枠に複数の五徳爪を固定して成るものに構成され、天板カバー及びカバー固定板を取外した状態では、天板のバーナ用開口の口縁部を五徳枠により上方から覆った状態で五徳が天板上に載置可能であることを特徴とするガスコンロ。
【発明の詳細な説明】
【技術分野】
【０００１】
本発明は、コンロ本体の上面を覆う板金製の天板と、天板の上面を覆うガラス製の天板カバーと、天板カバーを天板に固定するカバー固定手段と、天板及び天板カバーに開設したバーナ用開口を介して上方に露出するコンロバーナと、天板カバー上にコンロバーナを囲うようにして載置される五徳とを備えるガスコンロに関する。
【背景技術】
【０００２】
従来、この種のガスコンロとして、特許文献１により、カバー固定手段を天板上面に塗布するコーキング材で構成し、天板カバーを天板にコーキング材で接着固定するものが知られている。ガラス製の天板カバーを設けるのは、清掃性を向上させると共に体裁を良好にするためであるが、天板カバーを天板に接着固定したのでは、天板カバーが破損したときに、天板カバーの破片を天板から除去するのが困難であり、また、破片を除去できても、天板上面にコーキング材による汚れが残って体裁を損なうため、実際上天板は使用できなくなる。
【０００３】
また、特許文献１には、カバー固定手段を、天板の四隅に締結される、天板カバーの端縁角部に掛止される掛止部を有する連結金具で構成したものも記載されている。これによれば、天板カバーが破損したときに、連結金具を取外して天板カバーの破片を容易に除去でき、且つ、天板上面に汚れが残らないため、天板を単独でそのまま使用できる。然し、このものでは、天板上に天板カバーを固定した状態で連結金具が外観に現れるため、体裁を損なう不具合がある。
【０００４】
また、特許文献１に記載のものでは、天板カバーのバーナ用開口の口縁部上面に五徳を載置しているが、天板のバーナ用開口が天板カバーのバーナ用開口よりも大径であるため、五徳を天板上に載置することができない。そのため、天板を単独で使用する場合には、天板上に載置可能な専用の五徳を補充せざるを得ず、時間と経費が掛かる。
【先行技術文献】
【特許文献】
【０００５】
【特許文献１】特開２００６−３１３０４５号公報
【発明の概要】
【発明が解決しようとする課題】
【０００６】
本発明は、以上の点に鑑み、天板カバーが破損した場合に天板を単独で使用できると共に五徳をそのまま使用でき、且つ、体裁も良好なガスコンロを提供することをその課題としている。
【課題を解決するための手段】
【０００７】
上記課題を解決するために、本発明は、コンロ本体の上面を覆う板金製の天板と、天板の上面を覆うガラス製の天板カバーと、天板カバーを天板に固定するカバー固定手段と、天板及び天板カバーに開設したバーナ用開口を介して上方に露出するコンロバーナと、天板カバー上にコンロバーナを囲うようにして載置される五徳とを備えるガスコンロにおいて、天板のバーナ用開口は、天板カバーのバーナ用開口より小径であり、カバー固定手段は、天板のバーナ用開口より大径で天板カバーのバーナ用開口より小径の筒部と、天板のバーナ用開口の口縁部に締結される筒部下端の内曲げフランジ部と、天板カバーのバーナ用開口の口縁部上面を覆うように天板カバーに設けられた保護パッキンの上面に重なる筒部上端の外曲げフランジ部とを有する環状のカバー固定板で構成され、五徳は、保護パッキン及びカバー固定板を上方から覆う環状の五徳枠に複数の五徳爪を固定して成るものに構成され、天板カバー及びカバー固定板を取外した状態では、天板のバーナ用開口の口縁部を五徳枠により上方から覆った状態で五徳が天板上に載置可能であることを特徴とする。
【０００８】
本発明によれば、天板カバーが破損した場合、カバー固定板を取外して天板カバーの破片を容易に除去でき、且つ、天板上面に汚れが残らないため、天板を単独でそのまま使用できる。更に、天板上にカバー固定板により天板カバーを固定した状態において、保護パッキン及びカバー固定板が五徳枠により上方から覆われるため、これら保護パッキン及びカバー固定板が外観に現れず、体裁が良好になる。また、天板を単独で使用する場合にも五徳をそのまま使用でき、時間と経費が掛からない。
【図面の簡単な説明】
【０００９】
【図１】本発明の実施形態のガスコンロの一部切断側面図。
【図２】（ａ）図１のガスコンロの要部の拡大断面図、（ｂ）図１のガスコンロの天板カバー及びカバー固定板を取外した状態の要部の拡大断面図。
【発明を実施するための形態】
【００１０】
図１に示す本発明の実施形態のガスコンロは、コンロ本体１と、コンロ本体１の上面を覆うステンレス板等の板金製の天板２と、天板２の上面を覆うガラス製の天板カバー３と、天板２及び天板カバー３に開設したバーナ用開口２１，３１を介して上方に露出するコンロバーナ４と、天板カバー３上にコンロバーナ４を囲うようにして載置される五徳５とを備えている。天板カバー３には、バーナ用開口３１の口縁部上面を覆うように保護パッキン３２が設けられている。
【００１１】
天板カバー３は、カバー固定手段によって天板２に固定されている。ここで、天板２のバーナ用開口２１は、天板カバー３のバーナ用開口３１よりも小径に形成されている。そして、カバー固定手段は、図２（ａ）に明示する如く、天板２のバーナ用開口２１より大径で天板カバー３のバーナ用開口３１よりも小径の筒部６１と、天板２のバーナ用開口２１の口縁部に締結される筒部６１下端の内曲げフランジ部６２と、保護パッキン３２の上面に重なる筒部６１上端の外曲げフランジ部６３とを有する環状のカバー固定板６で構成されている。内曲げフランジ部６２を天板２のバーナ用開口２１の口縁部に締結すれば、天板カバー３のバーナ用開口３１の口縁部が外曲げフランジ部６３により保護パッキン３２を介して上方から押えられ、天板カバー３が天板２に固定される。
【００１２】
尚、天板２のバーナ用開口２１の口縁部の前後２箇所には、バーリング加工でネジ孔２２が形成されており、これら各ネジ孔２２に螺合するネジ６４で内曲げフランジ部６２が天板２のバーナ用開口２１の口縁部に締結される。また、保護パッキン３２の上面は、内周寄り部分を低くした段付き形状に形成されている。そして、保護パッキン３２の内周寄り部分の上面に外曲げフランジ部６３が重なるようにしている。
【００１３】
五徳５は、保護パッキン３２及びカバー固定板６を上方から覆う環状の五徳枠５１に複数の五徳爪５２を固定して成るものに構成されている。これによれば、保護パッキン３２及びカバー固定板６が五徳枠５１で目隠しされて外観に現れず、体裁が良好になる。また、五徳枠５１には、下方にオフセットして径方向内方に張出す汁受け部５３が一体に形成されている。そのため、汁受けを別途用意する必要がなく、コストダウンを図ることができる。
【００１４】
各五徳爪５２の下端には、五徳枠５１に形成したスリットに係合する係合部５２ａが突設されている。そして、この係合部５２ａが外曲げフランジ部６３に着座し、或いは、五徳枠５１が保護パッキン３２の外周寄り部分の上面に着座して、五徳５が天板カバー３上に支持される。また、前後２個の五徳爪５２には、係合部５２ａから更に下方に突出する突起部５２ｂが形成されている。この突起部５２ｂは、カバー固定板６の前後２箇所に形成した位置決め用のスリット６５に係合し、五徳５が位相決めされる。
【００１５】
ところで、天板カバー３が破損した場合は、内曲げフランジ部６２の締結を解除してカバー固定板６を取外すことにより、天板カバー３の破片を容易に除去することができる。また、天板カバー３をコーキング材で天板３に接着固定するものと異なり、天板２の上面に汚れが残らないため、天板２を単独でそのまま使用できる。
【００１６】
更に、天板２のバーナ用開口２１が天板カバー３のバーナ用開口３１より小径であるため、図２（ｂ）に示す如く、天板カバー３及びカバー固定板６を取外した状態では、天板２のバーナ用開口２１の口縁部を五徳枠５１により上方から覆った状態で五徳５を天板２上に載置することができる。そのため、天板２を単独で使用する場合にも五徳５をそのまま使用でき、時間と経費が掛からない。
【００１７】
尚、天板２を単独で使用する場合、五徳５は、五徳爪５２の係合部５２ａにおいて天板２のバーナ用開口２１の口縁部上面に着座する。また、天板２のバーナ用開口２１の口縁部の前後２箇所には、ネジ孔２２の外方に位置させて、五徳爪５２の突起部５２ｂが挿入される位置決め孔２３が形成されている。また、汁受け部５３は、天板２上に五徳５を載置したときに、天板２のバーナ用開口２１にその口縁部に干渉することなく挿入されるように形成されている。
【００１８】
以上、本発明の実施形態について図面を参照して説明したが、本発明はこれに限定されない。例えば、上記実施形態では、保護パッキン３２の上面を段付き形状に形成して、高さの低い内周寄り部分の上面にカバー固定板６の外曲げフランジ部６３を重ねているが、保護パッキン３２の上面はフラットであってもよい。また、上記実施形態では、五徳枠５１に汁受け部５３が一体に形成されているが、汁受け部５３を省略し、五徳とは別体の汁受けを設けてもよい。
【符号の説明】
【００１９】
１…コンロ本体、２…天板、２１…天板のバーナ用開口、３…天板カバー、３１…天板カバーのバーナ用開口、３２…保護パッキン、４…コンロバーナ、５…五徳、５１…五徳枠、５２…五徳爪、６…カバー固定板、６１…筒部、６２…内曲げフランジ部、６３…外曲げフランジ部。
【図１】
0006669587.tif 000002
【図２】
0006669587.tif 000003